(57)【要約】【課題】熱源側熱交換器と利用側熱交換器との間での熱の伝わりを抑制することが可能な屋外空気調和装置を提供する。【解決手段】圧縮機１と、熱源側熱交換器６と、熱源側熱交換器６を通過する空気流れを生じさせる熱源側ファン７と、利用側熱交換器３と、利用側熱交換器３を通過する空気流れを生じさせる利用側ファン４と、を備えた屋外空気調和装置１００であって、熱源側熱交換器６および利用側熱交換器３を内部に収容するケーシング１０を備え、熱源側熱交換器６が利用側熱交換器３よりも上に配置されており、少なくとも利用側熱交換器３を冷媒の蒸発器として機能させ熱源側熱交換器６を冷媒の凝縮器として機能させる運転を行う。【選択図】図３
2020003175.tif 000002
【特許請求の範囲】
【請求項１】
圧縮機（１）と、熱源側熱交換器（６）と、前記熱源側熱交換器を通過する空気流れを生じさせる第１ファン（７）と、利用側熱交換器（３）と、前記利用側熱交換器を通過する空気流れを生じさせる第２ファン（４）と、を備えた屋外空気調和装置（１００、１００ａ）であって、
少なくとも前記熱源側熱交換器および前記利用側熱交換器を内部に収容するケーシング（１０）を備え、
前記利用側熱交換器は、前記熱源側熱交換器から離れて前記熱源側熱交換器よりも上に配置されており、
少なくとも前記利用側熱交換器を冷媒の蒸発器として機能させ前記熱源側熱交換器を冷媒の凝縮器として機能させる運転を行う、
屋外空気調和装置。
【請求項２】
前記第２ファンは、前記ケーシングの内部であって、前記熱源側熱交換器よりも上で前記利用側熱交換器よりも下に収容されている、
請求項１に記載の屋外空気調和装置。
【請求項３】
前記第２ファンは、回転軸方向が上下方向となるように設置された遠心送風機である、
請求項１または２に記載の屋外空気調和装置。
【請求項４】
前記ケーシングは、前記ケーシングの内部において、前記熱源側熱交換器及び前記第１ファンが配置された熱源側空気流路と、前記熱源側空気流路とは分離されており、前記利用側熱交換器及び前記第２ファンが配置された利用側空気流路と、を有している、
請求項１から３のいずれか１項に記載の屋外空気調和装置。
【請求項５】
前記熱源側空気流路の吹出口（４８、４８ａ、４８ｂ、４８ｃ、４８ｄ）は、前記熱源側熱交換器と前記第１ファンと前記利用側熱交換器と前記第２ファンのいずれよりも上に位置している、
請求項４に記載の屋外空気調和装置。
【請求項６】
前記熱源側空気流路の吹出口は、前記ケーシングの上面に形成されている、
請求項４または５に記載の屋外空気調和装置。
【請求項７】
前記ケーシングは、平面視において複数の側面部および複数の角部を有する多角形の輪郭を有しており、
前記熱源側空気流路は、
前記ケーシングの複数の前記側面部のうちの一部である１つ又は２つ以上に沿って鉛直方向に延びる部分を有しているか、
前記ケーシングの複数の前記角部のうちの１つ又は２つ以上に沿って鉛直方向に延びる部分を有しているか、
前記ケーシングの複数の前記側面部のうちの一部である１つ又は２つ以上に沿って鉛直方向に延びる部分、及び、前記ケーシングの複数の前記角部のうちの１つ又は２つ以上に沿って鉛直方向に延びる部分を有しているか、
のいずれかである、
請求項４から６のいずれか１項に記載の屋外空気調和装置。
【請求項８】
前記ケーシングは、複数の前記角部の少なくともいずれかに沿うように鉛直方向に伸びた支柱（１１ａ〜１１ｄ）を有しており、
前記熱源側空気流路は、前記支柱に沿うように鉛直方向に延びる部分を有している、
請求項７に記載の屋外空気調和装置。
【請求項９】
前記熱源側熱交換器及び／又は前記利用側熱交換器は、複数の熱交換面を有している、
請求項１から８のいずれか１項に記載の屋外空気調和装置。
【請求項１０】
前記利用側熱交換器を冷媒の凝縮器として機能させ前記熱源側熱交換器を冷媒の蒸発器として機能させる運転をさらに行うことが可能であり、
前記利用側熱交換器を冷媒の蒸発器として機能させ前記熱源側熱交換器を冷媒の凝縮器として機能させる状態と、前記利用側熱交換器を冷媒の凝縮器として機能させ前記熱源側熱交換器を冷媒の蒸発器として機能させる状態と、を切り換える切換弁（２）をさらに備えた、
請求項１から９のいずれか１項に記載の屋外空気調和装置。
【発明の詳細な説明】
【技術分野】
【０００１】
本開示は、屋外空気調和装置に関する。
【背景技術】
【０００２】
従来より、例えば、特許文献１（特開平１０―２８１４９６号公報）に記載のように、空気調和機本体の内部に冷房時蒸発器および冷房時凝縮器が配置された一体形空気調和機が提案されている。
【発明の概要】
【発明が解決しようとする課題】
【０００３】
しかし、上記特許文献１に記載のものでは、冷房時蒸発器と冷房時凝縮器において同一のフィンが共用されているため、冷房時蒸発器と冷房時凝縮器との間で熱が伝わってしまう。
【０００４】
本開示の課題は、熱源側熱交換器と利用側熱交換器との間での熱の伝わりを抑制することが可能な屋外空気調和装置を提供することにある。
【課題を解決するための手段】
【０００５】
第１観点に係る屋外空気調和装置は、圧縮機と、熱源側熱交換器と、第１ファンと、利用側熱交換器と、第２ファンと、ケーシングと、を備えている。第１ファンは、熱源側熱交換器を通過する空気流れを生じさせる。第２ファンは、利用側熱交換器を通過する空気流れを生じさせる。ケーシングは、少なくとも熱源側熱交換器および利用側熱交換器を内部に収容する。利用側熱交換器は、熱源側熱交換器から離れて配置されている。利用側熱交換器は、熱源側熱交換器よりも上に配置されている。この屋外空気調和装置は、少なくとも利用側熱交換器を冷媒の蒸発器として機能させ熱源側熱交換器を冷媒の凝縮器として機能させる運転を行う。
【０００６】
なお、ケーシングは、少なくとも熱源側熱交換器と利用側熱交換器と圧縮機を内部に収容し、支柱と、底板と、天板と、を有していることが好ましい。
【０００７】
この屋外空気調和装置では、熱源側熱交換器と利用側熱交換器との間での熱の伝わりを抑制することが可能である。
【０００８】
第２観点に係る屋外空気調和装置は、第１観点に係る屋外空気調和装置であって、第２ファンは、ケーシングの内部であって、熱源側熱交換器よりも上で利用側熱交換器よりも下に収容されている。
【０００９】
この屋外空気調和装置では、利用側熱交換器と熱源側熱交換器との間に第２ファンを介在させることで、利用側熱交換器と熱源側熱交換器とを十分に離して配置することが可能になる。
【００１０】
第３観点に係る屋外空気調和装置は、第１観点または第２観点に係る屋外空気調和装置であって、第２ファンは、回転軸方向が上下方向となるように設置された遠心送風機である。
【００１１】
この屋外空気調和装置では、第２ファンによって形成される空気流れを、遠くまで到達させやすい。
【００１２】
第４観点に係る屋外空気調和装置は、第１観点から第３観点のいずれかに係る屋外空気調和装置であって、ケーシングは、ケーシングの内部において、熱源側空気流路と、熱源側空気流路とは分離されている利用側空気流路と、を有している。熱源側空気流路は、熱源側熱交換器及び第１ファンが配置されている。利用側空気流路は、利用側熱交換器及び第２ファンが配置されている。
【００１３】
この屋外空気調和装置では、熱源側熱交換器を通過した空気と利用側熱交換器を通過した空気とのケーシング内での混ざり合いを抑制することが可能になる。
【００１４】
第５観点に係る屋外空気調和装置は、第４観点に係る屋外空気調和装置であって、熱源側空気流路の吹出口は、熱源側熱交換器と第１ファンと利用側熱交換器と第２ファンのいずれよりも上に位置している。
【００１５】
この屋外空気調和装置では、熱源側熱交換器が冷媒の凝縮器として用いられる場合に生じる比較的高温の廃熱がユーザに到達することを抑制できる。
【００１６】
第６観点に係る屋外空気調和装置は、第４観点または第５観点に係る屋外空気調和装置であって、熱源側空気流路の吹出口は、ケーシングの上面に形成されている。
【００１７】
この屋外空気調和装置では、熱源側熱交換器が冷媒の凝縮器として用いられる場合に生じる比較的高温の廃熱を、ケーシングの上面からさらに上方に送ることにより、ユーザへの廃熱の到達を十分に抑制できる。
【００１８】
第７観点に係る屋外空気調和装置は、第４観点から第６観点のいずれかに係る屋外空気調和装置であって、ケーシングは、平面視において複数の側面部および複数の角部を有する多角形の輪郭を有している。熱源側空気流路は、ケーシングの複数の側面部のうちの一部である１つ又は２つ以上に沿って鉛直方向に延びる部分を有しているか、ケーシングの複数の角部のうちの１つ又は２つ以上に沿って鉛直方向に延びる部分を有しているか、ケーシングの複数の側面部のうちの一部である１つ又は２つ以上に沿って鉛直方向に延びる部分及びケーシングの複数の角部のうちの１つ又は２つ以上に沿って鉛直方向に延びる部分を有しているか、のいずれかである。
【００１９】
この屋外空気調和装置では、利用側空気流路を通過した空気流れが熱源側空気流路に干渉することを抑制できる。
【００２０】
第８観点に係る屋外空気調和装置は、第７観点に係る屋外空気調和装置であって、ケーシングは、支柱を有している。支柱は、複数の角部の少なくともいずれかに沿うように鉛直方向に伸びている。熱源側空気流路は、支柱に沿うように鉛直方向に延びる部分を有している。
【００２１】
この屋外空気調和装置では、利用側熱交換器を通過した空気は、支柱が設けられている箇所を通過させることはできないものの、この利用側熱交換器を通過した空気を吹き出すことができない場所を、熱源側空気流路を設ける場所として有効利用することが可能になる。
【００２２】
第９観点に係る屋外空気調和装置は、第１観点から第８観点のいずれかに係る屋外空気調和装置であって、熱源側熱交換器及び／又は利用側熱交換器は、複数の熱交換面を有している。
【００２３】
この屋外空気調和装置では、熱源側熱交換器及び／又は利用側熱交換器において、複数の熱交換面において熱交換を行わせることが可能になる。
【００２４】
第１０観点に係る屋外空気調和装置は、第１観点から第９観点のいずれかに係る屋外空気調和装置であって、切換弁をさらに備えている。この屋外空気調和装置は、利用側熱交換器を冷媒の凝縮器として機能させ熱源側熱交換器を冷媒の蒸発器として機能させる運転をさらに行うことが可能である。切換弁は、利用側熱交換器を冷媒の蒸発器として機能させ熱源側熱交換器を冷媒の凝縮器として機能させる状態と、利用側熱交換器を冷媒の凝縮器として機能させ熱源側熱交換器を冷媒の蒸発器として機能させる状態と、を切り換える。
【００２５】
この屋外空気調和装置では、冷媒の蒸発器として機能する利用側熱交換器を通過した空気と、冷媒の凝縮器として機能する利用側熱交換器を通過した空気と、を切り換えて供給することが可能になる。
【図面の簡単な説明】
【００２６】
【図１】屋外空気調和装置１００の冷媒回路を示す図。
【図２】屋外空気調和装置１００の外観斜視図。
【図３】屋外空気調和装置１００の内部の構成を示す正面視配置説明図。
【図４】屋外空気調和装置１００の底板１２上の各要素の配置関係を示す概略平面図。
【図５】屋外空気調和装置１００の第１仕切板１７上の各要素の配置関係を示す概略平面図。
【図６】屋外空気調和装置１００の第２仕切板１６上の各要素の配置関係を示す概略平面図。
【図７】屋外空気調和装置１００の第３仕切板１５上の各要素の配置関係を示す概略平面図。
【図８】屋外空気調和装置１００の第４仕切板１４上の各要素の配置関係を示す概略平面図。
【図９】屋外空気調和装置１００の天板１３近傍の概略平面図。
【図１０】屋外空気調和装置１００ａの内部の構成を示す正面視配置説明図。
【図１１】屋外空気調和装置１００ａの第１仕切板１７上の各要素の配置関係を示す概略平面図。
【図１２】屋外空気調和装置１００ａの第３仕切板１５上の各要素の配置関係を示す概略平面図。
【図１３】屋外空気調和装置１００ａの第４仕切板１４上の各要素の配置関係を示す概略平面図。
【図１４】屋外空気調和装置１００ａの天板１３近傍の概略平面図。
【発明を実施するための形態】
【００２７】
（１）屋外空気調和装置１００の冷媒回路の構成
本実施形態の屋外空気調和装置１００の冷媒回路を図１に、外観の斜視図を図２に示す。本実施形態の屋外空気調和装置１００は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所であってもよい。
【００２８】
屋外空気調和装置１００は、冷房運転及び／又は除湿運転を行う冷房専用機であってもよい。屋外空気調和装置１００は、暖房運転のみ又は暖房運転と除霜運転を行う暖房専用機であってもよい。屋外空気調和装置１００は、冷房運転と除湿運転の少なくともいずれかと、暖房運転のみ又は暖房運転とデフロスト運転の両方と、を行う空気調和装置であってもよい。
【００２９】
屋外空気調和装置１００は、図１に示す冷媒回路９の全体を一つのケーシング１０の内部に収容した空気調和装置である。屋外空気調和装置１００は、図１に示すように、圧縮機１、アキュムレータ８、四路切換弁２、利用側熱交換器３、膨張手段５、熱源側熱交換器６を備えている。これらの機器は、配管で接続されることで冷媒回路９を構成している。
【００３０】
より具体的には、アキュムレータ８は、四路切換弁２が有する第１接続ポートと、圧縮機１の吸入側との間に接続されている。圧縮機１の吐出側は、四路切換弁２が有する第２接続ポートに接続されている。四路切換弁２の第３接続ポートは、熱源側ガス側連絡配管５１を介して熱源側熱交換器６のガス冷媒側と接続されており、四路切換弁２の第４接続ポートは、利用側ガス側連絡配管５３を介して利用側熱交換器３のガス冷媒側と接続されている。膨張手段５は、熱源側液側連絡配管５２を介して熱源側熱交換器６の液冷媒側と接続されており、利用側液側連絡配管５４を介して利用側熱交換器３の液冷媒側と接続されている。なお、例えば、冷房専用機において四路切換弁２を備えない構成としては、熱源側ガス側連絡配管５１が圧縮機１の吐出側と熱源側熱交換器６のガス冷媒側とを連絡し、利用側ガス側連絡配管５３が圧縮機１の吸入側と利用側熱交換器３のガス冷媒側とを連絡してもよい。
【００３１】
なお、当該四路切換弁２を備える冷媒回路９は、暖房運転と除霜運転を行う暖房専用機、又は、冷房運転と除湿運転の少なくともいずれかと、暖房運転のみ又は暖房運転と除霜運転の両方と、を行う空気調和装置において採用される。また、冷房運転及び／又は除湿運転を行う冷房専用機においては、四路切換弁２を省略した冷媒回路を用いることができる。具体的には、圧縮機１の吐出側が熱源側熱交換器６に接続され、圧縮機１の吸入側が（必要に応じてアキュムレータ８を介して）利用側熱交換器３に接続された冷媒回路を用いることができる。
【００３２】
以上の屋外空気調和装置１００では、冷媒回路９に封入されている冷媒が各機器を循環することで、蒸気圧縮式の冷凍サイクルが行われる。ここで、冷房運転、除湿運転およびデフロスト運転の場合は、利用側熱交換器３は冷媒の蒸発器として機能し、熱源側熱交換器６は冷媒の凝縮器として機能する。暖房運転の場合は、利用側熱交換器は冷媒の凝縮器として機能し、熱源側熱交換器は冷媒の蒸発器として機能する。冷房運転、除湿運転及びデフロスト運転と暖房運転との切換は、冷媒回路９における四路切換弁２の切換状態の切り換えにより行われる。
【００３３】
屋外空気調和装置１００において用いる冷媒としては、例えば、Ｒ３２単体、Ｒ３２を含む混合冷媒等が挙げられる。Ｒ３２を含む混合冷媒の例としては、Ｒ４５２Ｂ、Ｒ４１０Ａ、Ｒ４５４Ｂが挙げられる。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。
【００３４】
（２）屋外空気調和装置１００の各機器の配置
屋外空気調和装置１００の外観の斜視図を図２に、各種化粧板や支柱等の一部を取り除いた、内部構成の斜視図を図３に示す。
【００３５】
本実施形態の屋外空気調和装置１００では、ケーシング１０の中に、冷媒回路９を構成する全ての機器、熱源側ファン７、利用側ファン４が収容されている。
【００３６】
ケーシング１０は、水平断面が略矩形である直方体形状を有しており、長手方向が鉛直方向となるように上下に伸びている。ケーシング１０の上面視は、対称性を有する形状となっている。なお、本実施形態では、ケーシング１０の水平断面の形状は、主として４つの辺と各辺で構成される４つの角とを有する正方形となっている。
【００３７】
ケーシング１０は、４本の支柱１１ａ〜１１ｄ、天板１３、底板１２、第４仕切板１４、第３仕切板１５、第２仕切板１６、第１仕切板１７、４つの上部化粧板２１、４つの中間化粧板２２、４つの下部化粧板２３と、４つの風向調節部材２４等を有している。
【００３８】
ケーシング１０の外形は、概ね、４本の支柱１１ａ〜１１ｄと、天板１３と、底板１２と、４つの上部化粧板２１と、４つの中間化粧板２２と、４つの下部化粧板２３と、４つの風向調節部材２４と、によって構成されており、長手方向が鉛直方向となるように上下に延びた構造となっている。４本の支柱１１ａ〜１１ｄは、上面視において、天板１３や底板１２の四隅に位置しており、ケーシング１０の平面視における４つの角部を構成している。これら４本の支柱１１ａ〜１１ｄは、いずれも長手方向が鉛直方向となる姿勢で設けられている。なお、各支柱１１ａ〜１１ｄの内部は、下端が閉じられており、後述する熱源側熱交換器６を通過した空気を上方に送るための、上下方向に延びた空気流路となっている。各支柱１１ａ〜１１ｄは、図９に示すように、上端において上下方向に開口した熱源側吹出口４８ａ〜４８ｄを有している。天板１３は、４本の支柱１１ａ〜１１ｄの上端近傍において固定されており、水平に広がっている板部材である。底板１２は、４本の支柱１１ａ〜１１ｄの下端近傍において固定されており、水平に広がっている板部材である。なお、支柱１１ａ〜１１ｄのうち互いに隣り合うもの同士の間には、４側面共に、上から順に、上部化粧板２１、風向調節部材２４、中間化粧板２２、下部化粧板２３が配置されている。上部化粧板２１と下部化粧板２３とは、側方に向けて突出した複数の凸部が上下方向に沿って延びた形状を有しており、後述する利用側吸込口４５や熱源側吸込口４７に対向する部分において、空気を周方向に送ることができるように開口した部分を有している。なお、中間化粧板２２は、上部化粧板２１の上において周方向を覆っており、空気を通過させる開口等が形成されていない。風向調節部材２４は、中間化粧板２２よりも上で上部化粧板２１よりも下の部分を通過する空気流れの供給先を調節することが可能であり、当該部分を閉塞することができるように設けられている。
【００３９】
なお、底板１２の下には、屋外空気調和装置１００を移動させて設置場所を変える等のために４つのキャスタ１８が取り付けられている。さらに、底板１２には、地面と平行に広がった主面を有する２つの固定板１９ａ、１９ｂが固定されている。屋外空気調和装置１００は、これらの固定板１９ａ、１９ｂによって転倒が抑制される。なお固定板１９ａ、１９ｂは、螺子によって底板１２に固定されており、取り外すことが可能となっている。
【００４０】
ケーシング１０の内部は、ケーシング１０の内部を上下方向に並ぶ複数の空間に仕切るように、第４仕切板１４、第３仕切板１５、第２仕切板１６および第１仕切板１７が上から順に配置されている。これらの第４仕切板１４、第３仕切板１５、第２仕切板１６、第１仕切板１７は、いずれも４本の支柱１１ａ〜１１ｄの内側に固定されることで、ケーシング１０の構造の補強にも寄与している。
【００４１】
ケーシング１０の内部のうち底板１２と第１仕切板１７で上下に囲まれた空間は、図４に示すように、上面視において、圧縮機１、膨張手段５、アキュムレータ８、電装部品２８が配置されている。ここで、圧縮機１は、容量可変機（インバータ機）であってもよいし、一定速で駆動する容量固定機（ノンインバータ機）であってもよい。膨張手段５は、特に限定されず、弁開度が制御可能な電動膨張弁であってもよいし、感温筒と共に用いられる機械式膨張弁であってもよいし、キャピラリーチューブであってもよい。電装部品２８は、屋外空気調和装置１００が有する各要素の駆動制御を行う制御部として機能するものであり、ＣＰＵ、ＲＯＭ、ＲＡＭ等を有して構成されている。なお、電装部品２８は、圧縮機１、利用側ファンモータ４ａ、熱源側ファンモータ７ａ（膨張手段５が電動膨張弁等の制御可能なものである場合には当該電動膨張弁、四路切換弁２が設けられておる場合には四路切換弁２、風向調節部材２４の姿勢が制御可能な場合には風向調節部材２４）と通信線７１を介して電気的に接続されている。ここで、底板１２と第１仕切板１７との間の４つの側面は、いずれも、互いに隣り合う２つの支柱１１ａ−１１ｄの間の部分が、対応する下部化粧板２３のうち空気を通過させない部分によって覆われている。
【００４２】
なお、四路切換弁２からは、熱源側ガス側連絡配管５１および利用側ガス側連絡配管５３が、平面視における４つの角部のうちの１つである支柱１１ｄ側に向けて延びだしている。また、膨張手段５からは、熱源側液側連絡配管５２および利用側液側連絡配管５４が、平面視における同じ角部である支柱１１ｄ側に向けて延びだしている。
【００４３】
ケーシング１０の内部のうち第１仕切板１７と第２仕切板１６で上下に囲まれた空間は、図５に示すように、熱源側熱交換器６および熱源側ファン７等が配置されている。なお、第１仕切板１７には、支柱１１ｄの近傍において、上下方向に貫通した切り欠き１７ａが形成されている。この切り欠き１７ａが形成されていることで、通信線７１、および、冷媒回路９の一部である熱源側ガス側連絡配管５１、利用側ガス側連絡配管５３、熱源側液側連絡配管５２および利用側液側連絡配管５４を、切り欠き１７ａの縁に沿った部分が上方に延びるようにして形成されている後述する熱源側管板６３と支柱１１ｄとで囲われる領域を介してより上方まで延ばすことが可能になっている。なお、熱源側ガス側連絡配管５１および熱源側液側連絡配管５２は、第１仕切板１７と第２仕切板１６との間の高さ位置まで上方に延びており、利用側ガス側連絡配管５３や利用側液側連絡配管５４および電装部品２８から延びる通信線７１はさらに上方まで延びている。熱源側熱交換器６は、内部を流れる冷媒と、外部を通過する空気と、の間で熱交換を行わせる空気熱交換器である。熱源側熱交換器６は、上面視略Ｌ字型の２つの熱交換部（第１熱源側熱交換部６１と第２熱源側熱交換部６２）によって構成されており、各熱交換部６１、６２はＬ字形状の角部分の内側同士が向かい合うように配置されている。熱源側熱交換器６が有する各熱交換部６１、６２は、それぞれ、水平方向に伸びた複数の伝熱管と、各伝熱管が貫通した複数の伝熱フィンと、を有して構成されている。また、熱源側熱交換器６が有する各熱交換部６１、６２は、支柱１１ｄ側の端部において、共用の熱源側管板６３を介して一体化されている。熱源側熱交換器６が有する各熱交換部６１、６２は、いずれも、互いに垂直の関係にある周方向を向いた２つの熱交換面を有して構成されている。なお、熱交換面は、通過する空気の主な空気流れ方向に対して垂直な面であり、本実施形態では側方を向いた面である。ここで、第１熱源側熱交換部６１が有する２つの熱交換面は、それぞれ、互いに隣り合う側面２０ａと側面２０ｂに沿うように設けられている。また、第２熱源側熱交換部６２が有する２つの熱交換面は、それぞれ、互いに隣り合う側面２０ｃと側面２０ｄに沿うように設けられている。熱源側熱交換器６に供給される冷媒は、２つの熱交換部６１、６２に向けて分流され、各熱交換部６１、６２において冷媒を折り返すように流した後、合流して、熱源側熱交換器６の外部に流れていく。このため、熱源側熱交換器６を流れる冷媒流路の長さを短くし、冷媒の圧力損失を小さく抑えている。
【００４４】
具体的には、第１熱源側熱交換部６１は、ガス側部分において、熱源側ガス側連絡配管５１と接続されており、液側部分において、熱源側液側連絡配管５２と接続されている。また、第２熱源側熱交換部６２は、ガス側部分において、熱源側ガス側連絡配管５１と接続されており、液側部分において、熱源側液側連絡配管５２と接続されている。これにより、熱源側熱交換器６が冷媒の凝縮器として機能する場合には、熱源側ガス側連絡配管５１を流れた液冷媒が、第１熱源側熱交換部６１側に流れる冷媒と、第２熱源側熱交換部６２側に流れる冷媒と、に分岐され、各第１熱源側熱交換部６１及び第２熱源側熱交換部６２において凝縮した後、第１熱源側熱交換部６１の液側から流れ出る液冷媒と、第２熱源側熱交換部６２の液側から流れ出る液冷媒と、が熱源側液側連絡配管５２において合流して流れていくことになる。なお、熱源側熱交換器６が冷媒の蒸発器として機能する場合には、これとは逆の冷媒流れとなる。
【００４５】
以上の熱源側熱交換器６は、第１仕切板１７上に載置されている。ここで、第１仕切板１７と第２仕切板１６との間の高さ位置の４つの側面は、いずれも、互いに隣り合う２つの支柱１１ａ−１１ｄの間の部分が、対応する下部化粧板２３のうち空気を通過させるように構成された部分である熱源側吸込口４７を含む部分で覆われている。
【００４６】
熱源側ファン７は、周方向から取り込んだ空気を上方に送るファンであり、例えば、吹出口が上方を向いたシロッコファン等により構成される。熱源側ファン７は、回転軸方向を水平方向とする姿勢で配置されており、羽根車と、羽根車の側方に配置され、羽根車を回転駆動させる熱源側ファンモータ７ａと、を有している。熱源側ファン７が駆動することで、ケーシング１０の４つの熱源側吸込口４７を介して取り込まれた空気が、熱源側熱交換器６を通過することで熱交換され、排気となって熱源側ファン７を通過して後述する排気主管８０に送られる。
【００４７】
ケーシング１０の内部のうち第２仕切板１６と第３仕切板１５で上下に囲まれた空間は、図６に示すように、排気主管８０、第１排気枝管８１、第２排気枝管８２、第３排気枝管８３、第４排気枝管８４等が配置されている。なお、第２仕切板１６には、支柱１１ｄの近傍において、上下方向に貫通した切り欠き１６ａが形成されている。この切り欠き１６ａが形成されていることで、通信線７１、および、冷媒回路９の一部である利用側ガス側連絡配管５３、利用側液側連絡配管５４を、区画部材１６ｃと支柱１１ｄとで囲われる領域を介してより上方まで延ばすことが可能になっている。区画部材１６ｃは、第２仕切板１６と第３仕切板１５との間において、第２仕切板１６の切り欠き１６ａの縁に沿った部分が上下方向に延びるように設けられている。ここで、第２仕切板１６と第３仕切板１５と間の高さ位置の４つの側面は、いずれも、互いに隣り合う２つの支柱１１ａ−１１ｄの間の部分が、対応する中間化粧板２２の下方部分によって覆われている。なお、中間化粧板２２は空気を通過させない構成となっている。排気主管８０は、鉛直方向に延びた管であり、下端が熱源側ファン７の吹出口の上に接続されている。第１排気枝管８１、第２排気枝管８２、第３排気枝管８３、第４排気枝管８４は、排気主管８０の上端で流路を複数（ここでは４つ）に分岐するようにして斜め上方に向けて延びている管であり、第１排気枝管８１は接続口８１ａにおいて支柱１１ａ内の流路と接続されており、第２排気枝管８２は接続口８２ａにおいて支柱１１ｂ内の流路と接続されており、第３排気枝管８３は接続口８３ａにおいて支柱１１ｃ内の流路と接続されており、第４排気枝管８４は接続口８４ａにおいて支柱１１ｄ内の流路と接続されている。なお、第４排気枝管８４の一部は、区画部材１６ｃを貫通するように設けられている。また、これらの支柱１１ａ〜１１ｄの各内部流路は、後述するように上端の熱源側吹出口４８ａ〜４８ｄに至るまで延びている。
【００４８】
ケーシング１０の内部のうち第３仕切板１５と第４仕切板１４で上下に囲まれた空間は、図７に示すように、利用側ファン４が配置されている。なお、第３仕切板１５には、支柱１１ｄの近傍において、上下方向に貫通した切り欠き１５ａが形成されている。この切り欠き１５ａが形成されていることで、通信線７１、および、冷媒回路９の一部である利用側ガス側連絡配管５３、利用側液側連絡配管５４を、区画部材１５ｂと支柱１１ｄとで囲われる領域を介してより上方まで延ばすことが可能になっている。区画部材１５ｂは、第３仕切板１５と第４仕切板１４との間において、第３仕切板１５の切り欠き１５ａの縁に沿った部分が上下方向に延びるように設けられている。これにより、第３仕切板１５と第４仕切板１４との間の空間において利用側ファン４から吹き出された空気が、第４仕切板１４の切り欠き１４ａや第３仕切板１５の切り欠き１５ａに向けて流れていくことが防止されている。ここで、第２仕切板１６と第３仕切板１５と間の高さ位置の４つの側面は、いずれも、互いに隣り合う２つの支柱１１ａ−１１ｄの間の部分が、対応する上部化粧板２１の下方部分によって覆われている。そして、第３仕切板１５と第４仕切板１４との間の高さ位置の４つの側面のうちの上部化粧板２１よりも下方の部分は、いずれも、互いに隣り合う２つの支柱１１ａ−１１ｄで囲まれることで、利用側吹出口４６を構成している。これらの４つの利用側吹出口４６には、それぞれ風向調節部材２４が設けられており、利用側吹出口４６から吹き出される調和空気流れの向きを独立して変更することが可能になって。なお、吹き出し方向を変更させるための風向調節部材２４の姿勢の変更は、制御によって行われてもよいし、ユーザによる手動で行われてもよい。
【００４９】
利用側ファン４は、上方から取り込んだ空気を周方向に送るファンであり、特に限定されないが、ターボファン等の遠心送風機であることが好ましい。利用側ファン４は、回転軸方向を鉛直方向とする姿勢で配置されており、羽根車と、羽根車の下方に配置され、羽根車を回転駆動させる利用側ファンモータ４ａと、を有している。利用側ファン４が駆動することで、後述するケーシング１０の４つの利用側吸込口４５を介して取り込まれた空気が、利用側熱交換器３を通過することで熱交換され、調和された空気となって利用側ファン４を通過し、利用側吹出口４６を介して周囲に吹き出される。なお、利用側ファンモータ４ａは、熱源側ファン７が有する熱源側ファンモータ７ａとは別のモータであり、互いに独立して駆動制御が可能である。
【００５０】
ケーシング１０の内部のうち第４仕切板１４と天板１３で上下に囲まれた空間は、図８に示すように、利用側熱交換器３が配置されている。なお、第４仕切板１４には、支柱１１ｄの近傍において、上下方向に貫通した切り欠き１４ａが形成されている。この切り欠き１４ａが形成されていることで、通信線７１、および、冷媒回路９の一部である利用側ガス側連絡配管５３、利用側液側連絡配管５４を、切り欠き１４ａの縁が沿った部分が上下に延びるようにして設けられている利用側管板３３と支柱１１ｄとで囲われる領域を介してより上方まで延ばすことが可能になっている。なお、通信線７１、利用側ガス側連絡配管５３、利用側液側連絡配管５４は、天板１３に至る手前の間の高さ位置まで上方に延びている。利用側熱交換器３は、内部を流れる冷媒と、外部を通過する空気と、の間で熱交換を行わせる空気熱交換器である。利用側熱交換器３は、上面視略Ｌ字型の２つの熱交換部（第１利用側熱交換部３１と第２利用側熱交換部３２）によって構成されており、各熱交換部３１、３２はＬ字形状の角部分の内側同士が向かい合うように配置されている。利用側熱交換器３が有する各熱交換部３１、３２は、水平方向に伸びた複数の伝熱管と、各伝熱管が貫通した複数の伝熱フィンと、を有して構成されている。また、利用側熱交換器３が有する各熱交換部３１、３２は、支柱１１ｄ側の端部において、共用の利用側管板３３を介して一体化されている。利用側熱交換器３が有する各熱交換部３１、３２は、いずれも、互いに垂直の関係にある周方向を向いた２つの熱交換面を有して構成されている。ここで、第１利用側熱交換部３１が有する２つの熱交換面は、それぞれ、互いに隣り合う側面２０ａと側面２０ｂに沿うように設けられている。また、第２利用側熱交換部３２が有する２つの熱交換面は、それぞれ、互いに隣り合う側面２０ｃと側面２０ｄに沿うように設けられている。利用側熱交換器３に供給される冷媒は、２つの熱交換部３１、３２に向けて分流され、各熱交換部３１、３２において冷媒を折り返すように流した後、合流して、利用側熱交換器３の外部に流れていく。このため、利用側熱交換器３を流れる冷媒流路の長さを短くし、冷媒の圧力損失を小さく抑えている。
【００５１】
具体的には、第１利用側熱交換部３１は、ガス側部分において、利用側ガス側連絡配管５３と接続されており、液側部分において、利用側液側連絡配管５４と接続されている。また、第２利用側熱交換部３２は、ガス側部分において、利用側ガス側連絡配管５３と接続されており、液側部分において、利用側液側連絡配管５４と接続されている。これにより、利用側熱交換器３が冷媒の蒸発器として機能する場合には、利用側液側連絡配管５４を流れた液冷媒が、第１利用側熱交換部３１側に流れる冷媒と、第２利用側熱交換部３２側に流れる冷媒と、に分岐され、各第１利用側熱交換部３１及び第２利用側熱交換部３２において蒸発した後、第１利用側熱交換部３１のガス側から流れ出るガス冷媒と、第２利用側熱交換部３２のガス側から流れ出るガス冷媒と、が利用側ガス側連絡配管５３において合流して流れていくことになる。なお、利用側熱交換器３が冷媒の凝縮器として機能する場合には、これとは逆の冷媒流れとなる。
【００５２】
以上の利用側熱交換器３は、第４仕切板１４上に載置されることで固定されている。ここで、第４仕切板１４と天板１３との間の高さ位置の４つの側面は、いずれも、互いに隣り合う２つの支柱１１ａ−１１ｄの間の部分が、対応する上部化粧板２１のうち空気を通過させるように構成された部分で覆われることで、利用側吸込口４５を構成している。
【００５３】
天板１３には、図９に示すように、屋外空気調和装置１００のケーシング１０の上面を構成している。平面視における天板１３の４角には、それぞれ支柱１１ａ〜１１ｄの上端部分である、鉛直方向に開口した熱源側吹出口４８ａ〜４８ｄが形成されている。
【００５４】
（３）屋外空気調和装置１００における空気を流す構成と、空気の流れの説明
（３−１）利用側熱交換器３を通過する空気の流れ
主な空気の流れが矢印にて示された図３を参照しつつ、利用側熱交換器３を通過する空気の流れを説明する。
【００５５】
屋外空気調和装置１００の運転時に、利用側ファン４が駆動すると、屋外空気調和装置１００の上方の周囲の空気が、４つの側面２０ａ〜２０ｄに対応するように設けられた各利用側吸込口４５を介して、利用側熱交換器３の各熱交換部に取り込まれる。利用側熱交換器３の各熱交換部に取り込まれた空気は、利用側熱交換器３の内部を流れる冷媒との間で熱交換を行い、調和される。そして、調和された空気は、天板１３と第４仕切板１４との間の空間における中央下方に集まり、利用側ファン４に取り込まれる。そして、利用側ファン４から吹き出された調和空気は、４つの側面２０ａ〜２０ｄに対応するように設けられている各利用側吹出口４６を介して、周方向外側に送り出される。なお、調和空気は、利用側吹出口４６を通過する際に、風向調節部材２４によってその風向が調節される。特に限定されないが、利用側吹出口４６を通過する風向は、水平方向±３０°であってよく、当該風向の水平方向に対する角度は風向調節部材２４によってさらに広い範囲で調節される。また、利用側吹出口４６のうち、風向調節部材２４によって閉じられている箇所については、調和空気は通過しない。
【００５６】
（３−２）熱源側熱交換器６を通過する空気の流れ
主な空気の流れが矢印にて示された図３を参照しつつ、熱源側熱交換器６を通過する空気の流れを説明する。
【００５７】
屋外空気調和装置１００の運転時に、熱源側ファン７が駆動すると、屋外空気調和装置１００の下方の周囲の空気が、４つの側面２０ａ〜２０ｄに対応するように設けられた各熱源側吸込口４７を介して、熱源側熱交換器６の各熱交換部に取り込まれる。熱源側熱交換器６の各熱交換部に取り込まれた空気は、熱源側熱交換器６の内部を流れる冷媒との間で熱交換される。そして、熱交換後の排気は、第１仕切板１７と第２仕切板１６との間の空間における中央上方に集まり、熱源側ファン７に取り込まれる。熱源側ファン７の上方に設けられた吹出口から上方に向けて吹き出された排気は、排気主管８０の内部を上方に向けて流れる。排気主管８０の上端近傍に達した排気は、第１〜第４排気枝管８１〜８４に分岐して流れる。第１排気枝管８１を流れた排気は接続口８１ａを介して支柱１１ａの内部に流入し、第２排気枝管８２を流れた排気は接続口８２ａを介して支柱１１ｂの内部に流入し、第３排気枝管８３を流れた排気は接続口８３ａを介して支柱１１ｃの内部に流入し、第４排気枝管８４を流れた排気は接続口８４ａを介して支柱１１ｄの内部に流入する。そして、各支柱１１ａ〜１１ｄに流入した排気は、各支柱１１ａ〜１１ｄの上端に設けられている熱源側吹出口４８ａ〜４８ｄを介して、ケーシング１０の上方に向けて排出される。
【００５８】
（４）実施形態の特徴
（４−１）
本実施形態の屋外空気調和装置１００では、熱源側熱交換器６と利用側熱交換器３とは、利用側ファン４を隔てて互いに上下に離れた異なる空間に配置されており、熱源側熱交換器６の伝熱フィンと利用側熱交換器３の伝熱フィンとは繋がっていない。このため、熱源側熱交換器６と利用側熱交換器３との間の熱の影響を十分に小さく抑えることが可能になっている。
【００５９】
（４−２）
本実施形態の屋外空気調和装置１００では、熱源側熱交換器６が冷媒の凝縮器として機能している場合に、熱源側熱交換器６を通過して加温された空気は、支柱１１ａ〜１１ｄの内部流路を介して、熱源側ファン７や利用側ファン４や利用側熱交換器３よりも上方である屋外空気調和装置１００の天板１３まで導かれる。そして、天板１３の高さ位置において各支柱１１ａ〜１１ｄの上端に設けられた熱源側吹出口４８ａ〜４８ｄを介して、さらに上方に向けて排出される。このため、蒸発器として機能する利用側熱交換器３を通過した冷却空気を望むユーザに対して、熱源側熱交換器６において加温された空気が供給されてしまうことを抑制することができる。
【００６０】
しかも、熱源側熱交換器６において加温された空気は利用側熱交換器３において冷却された空気よりも比重が小さいため、熱源側熱交換器６において加温された空気がユーザに到達することをより抑制できる。
【００６１】
（４−３）
本実施形態の屋外空気調和装置１００は、ケーシング１０の内部空間について、熱源側熱交換器６や熱源側ファン７が配置されている熱源側の空気流路を構成する領域と、利用側熱交換器３や利用側ファン４が配置されている利用側の空気流路を構成する領域と、が隔離されている。このため、熱源側熱交換器６を通過した空気と利用側熱交換器３を通過した空気とがケーシング１０内で混ざり合うことを抑制できる。
【００６２】
（４−４）
本実施形態の屋外空気調和装置１００は、冷媒回路９の構成要素を内部に収容するケーシング１０の平面視における輪郭形状を、複数の側面２０ａ〜２０ｄと各側面２０ａ〜２０ｄ同士の間の角部を有する多角形としている。このため、円筒形状のケーシングと比べて、構造強度を高めることができている。さらに、円筒形状のケーシングと比較して、転倒を抑制させやすい。
【００６３】
しかも、熱源側熱交換器６を通過した排気は、ケーシング１０の角部を構成する各支柱１１ａ〜１１ｄを介して屋内空気調和装置１００の上方に排出される。このため、利用側熱交換器３を通過した後に各支柱１１ａ〜１１ｄの間を周方向に向けて通過する調和空気の流路と、熱源側熱交換器６を通過した後に各支柱１１ａ〜１１ｄの内部を上方に向けて通過する排気の流路と、を構造上、互いに干渉させないように配置することが可能になっている。
【００６４】
（４−５）
本実施形態の屋外空気調和装置１００は、ケーシング１０において、平面視における角部において上下方向に延びた支柱１１ａ〜１１ｄが設けられているため、構造強度を高めることができている。
【００６５】
ここで、構造強度を高めるために設けられた支柱１１ａ〜１１ｄにより、利用側熱交換器３を通過した空気は、当該支柱１１ａ〜１１ｄが配置されている箇所を通過させることができない。しかし、本実施形態の屋外空気調和装置１００では、利用側熱交換器３を通過した空気を通過させることができない領域を、各支柱１１ａ〜１１ｄの内部を熱源側熱交換器６を通過した排気の流路として有効活用することが可能になっている。
【００６６】
（４−６）
本実施形態の屋外空気調和装置１００は、利用側熱交換器３と熱源側熱交換器６のいずれも互いに異なる方向を向いた複数の熱交換面を有しており、ケーシング１０にも対応するように複数の方向に向けて開口された利用側吸込口４５と熱源側吸込口４７が設けられているため、利用側熱交換器３と熱源側熱交換器６のいずれについても、周方向における様々な方向から取り込まれる空気を用いて熱交換を行わせることが可能になっている。
【００６７】
（４−７）
本実施形態の屋外空気調和装置１００は、複数の周方向に向けて開口した利用側吹出口４６が設けられている。このため、利用側熱交換器３における熱交換によって得られた調和空気を、屋外空気調和装置１００の周囲の複数の方向に向けて供給することが可能になっている。具体的には、調和空気を、支柱１１ａ〜１１ｄ部分を除く、周囲１８０°以上、より具体的には２７０°以上、更に具体的には３６０°のより広いエリアに向けて供給することが可能になっている。しかも、調和空気は、遠心送風機であるターボファンによって構成された利用側ファン４によって、周方向に送り出されるため、調和空気をより遠くまで到達させやすい。
【００６８】
さらに、各利用側吹出口４６には、通過する調和空気の向きを独立して調節する風向調節部材２４が設けられているため、屋外空気調和装置１００の周囲の方向毎に、調和空気を送る位置を調節することが可能になっている。
【００６９】
また、利用側吹出口４６のうちのいずれかを風向調節部材２４によって塞ぐことができるため、屋外空気調和装置１００の周囲における調和空気の供給が不要である方向に対しては、その供給を避けることができる。
【００７０】
また、運転停止時等の使用していないときには、風向調整部材２４によって利用側吹出口４６を塞ぐことにより、機内にほこりや虫などが入ることを抑制できる。
【００７１】
（４−８）
本実施形態の屋外空気調和装置１００は、一つのケーシング１０の中に、冷媒回路９を構成する各構成機器、利用側ファン４および熱源側ファン７が収容されているため、外観を簡潔なものにすることができている。このように、屋外空気調和装置１００の外観が意匠性に富んでいるため、ユーザの近くで視認されやすい位置で用いられる場合であっても、屋外空気調和装置１００のユーザによる印象を良好にすることができる。
【００７２】
（４−９）
本実施形態の屋外空気調和装置１００は、ケーシング１０の平面視における角部の１つである支柱１１ｄの近くに、熱源側ガス側連絡配管５１と、熱源側液側連絡配管５２と、利用側ガス側連絡配管５３と、利用側液側連絡配管５４と、熱源側管板６３と、利用側管板３３と、通信線７１と、を、まとめて配置させている。このため、構造強度を高めるために設けた支柱１１ａ〜１１ｄの内側のスペースが、上記部材の配置スペースとして有効活用されている。また、これらの部材に関する溶接等の製造作業やメンテナンスは、１か所にまとめて配置されているため、屋外空気調和装置１００が備えるアクセス経路としては１つを確保すれば足りることになる。
【００７３】
（４−１０）
本実施形態の屋外空気調和装置１００は、冷媒回路９が四路切換弁２を有していることで、冷房運転と暖房運転の両方を行うことができるため、冷房専用機や暖房専用機と比べて使用できる機会が多い。
【００７４】
（５）変形例
（５−１）変形例Ａ
上記実施形態の屋外空気調和装置１００では、熱源側熱交換器６を通過した空気が、各支柱１１ａ〜１１ｄの内部の流路を用いてケーシング１０の上方に送られる場合を例に挙げて説明した。
【００７５】
これに対して、熱源側熱交換器６を通過した空気の排出に、各支柱１１ａ〜１１ｄの全てを用いるのではなく、その一部のみを用いるようにしてもよい。
【００７６】
また、熱源側熱交換器６を通過した空気の排出に、各支柱１１ａ〜１１ｄの内部の流路を用いるのではなく、例えば、平面視における各支柱１１ａ〜１１ｄの内側部分に、支柱１１ａ〜１１ｄとは別に上下方向に延びる配管を設け、当該配管を用いるようにしてもよい。ここで、各支柱１１ａ〜１１ｄの内側部分とは、各支柱１１ａ〜１１ｄが互いに対向する側、または、平面視におけるケーシング１０の中心側の部分を意味する。また、熱源側熱交換器６を通過した空気の排出に、これらの配管を用いる場合についても、平面視における各角部のうちの一部のみにおいて当該配管を設けるようにしてもよい。
【００７７】
（５−２）変形例Ｂ
上記実施形態の屋外空気調和装置１００では、熱源側熱交換器６を通過した空気が、平面視におけるケーシング１０の各角部に配置された支柱１１ａ〜１１ｄの内部の空間を用いてケーシング１０の上方に送られる場合を例に挙げて説明した。
【００７８】
これに対して、図１０に示すように、熱源側熱交換器６を通過した排気が、平面視多角形のケーシング１０が有する複数の側面のうちの１つである側面２０ａに沿って上下方向に延びるように設けられた排気管１８０を介して排出される構造の屋外空気調和装置１００ａであってもよい。
【００７９】
この屋外空気調和装置１００ａの外観構成は、図１４に示すように、天板１３において排気管１８０の下流側端部である熱源側吹出口４８ｘが形成されている点以外は、概ね上記実施形態と同様である。また、冷媒回路９の構成も上記実施形態と同様であり、熱源側ガス側連絡配管５１、熱源側液側連絡配管５２、利用側ガス側連絡配管５３、利用側液側連絡配管５４、熱源側管板６３、利用側管板３３、通信線７１の配置構成（各仕切板１４、１５、１７の切り欠き１４ａ、１５ａ、１７ａを通過させる配置構成）についても、上記実施形態と同様である。
【００８０】
屋外空気調和装置１００ａのケーシング１０の内部は、第４仕切板１４、第３仕切板１５および第１仕切板１７が上から順に配置されている。
【００８１】
屋外空気調和装置１００ａのケーシング１０の内部のうち底板１２と第１仕切板１７で上下に囲まれた空間の内部構成は、上記実施形態と同様である。
【００８２】
屋外空気調和装置１００ａのケーシング１０の内部のうち第１仕切板１７と第３仕切板１５で上下に囲まれた空間は、図１１に示すように、熱源側熱交換器６および熱源側ファン７等が配置されている。屋外空気調和装置１００ａの熱源側熱交換器６は、ケーシング１０の側面２０ａ以外の側面である側面２０ｂ、２０ｃ、２０ｄに沿うように、上面視略Ｕ字型に構成されている。ここで、第１仕切板１７と第３仕切板１５との間の高さ位置の４つの側面は、いずれも、互いに隣り合う２つの支柱１１ａ−１１ｄの間の部分が、対応する下部化粧板２３で覆われている。これらの下部化粧板２３のうち側面２０ｂ、２０ｃ、２０ｄに対応する位置に設けられているものについては、空気を通過させる熱源側吸込口４７が形成されており、側面２０ａに対応する位置に設けられているものについては空気を通過させない構造となっている。
【００８３】
熱源側ファン７は、周方向から取り込んだ空気を上方に送るファンであり、例えば、吹出口が上方を向いたシロッコファン等により構成される。熱源側ファン７は、回転軸方向を水平方向とする姿勢でケーシング１０内の側面２０ａに沿う位置に配置されている。熱源側ファン７は、側面２０ａ側に配置された羽根車と、羽根車に対して側面２０ｃ側に配置された熱源側ファンモータ７ａと、を有している。熱源側ファン７が駆動することで、ケーシング１０の３つの熱源側吸込口４７を介して取り込まれた空気が、平面視Ｕ字形状の熱源側熱交換器６を通過することで熱交換され、排気となって熱源側ファン７を通過し、熱源側ファン７の吹出口において接続されている排気管１８０に送られる。
【００８４】
屋外空気調和装置１００ａのケーシング１０の内部のうち第３仕切板１５と第４仕切板１４で上下に囲まれた空間は、図１２に示すように、利用側ファン４が配置されている。ここで、第３仕切板１５と第４仕切板１４と間の高さ位置の４つの側面のうち側面２０ｂ、２０ｃ、２０ｄは、いずれも、互いに隣り合う２つの支柱１１ａ−１１ｄの間の部分が、対応する上部化粧板２１の下方部分によって覆われており、その上部化粧板２１の下方には風向調節部材２４が設けられた利用側吹出口４６が設けられている。なお、第３仕切板１５と第４仕切板１４と間の高さ位置における側面２０ａは、隣り合う２つの支柱１１ａと支柱１１ｄの間の部分が、対応する上部化粧板２１の下方部分によって覆われており、利用側吹出口４６は設けられていない。
【００８５】
利用側ファン４は、回転軸方向を鉛直方向とする姿勢で中央近傍に配置されており、羽根車と、羽根車の下方に配置され、羽根車を回転駆動させる利用側ファンモータ４ａと、を有している。利用側ファン４が駆動することで、後述するケーシング１０の３つの利用側吸込口４５を介して取り込まれた空気が、利用側熱交換器３を通過することで熱交換され、調和された空気となって利用側ファン４を通過し、３つの利用側吹出口４６を介して周囲に吹き出される。なお、排気管１８０は、利用側ファン４に対して側面２０ａ側の支柱１１ａと支柱１１ｄとの間において、側面２０ａに沿うように上下方向に延びている。
【００８６】
屋外空気調和装置１００ａのケーシング１０の内部のうち第４仕切板１４と天板１３で上下に囲まれた空間は、図１３に示すように、利用側熱交換器３が配置されている。第４仕切板１４には中央近傍に上下方向に貫通した開口１４ｂが形成されており、その直下に利用側ファン４が対応するように設けられている。屋外空気調和装置１００ａの利用側熱交換器３は、熱源側熱交換器６と同様に、ケーシング１０の側面２０ａ以外の側面である側面２０ｂ、２０ｃ、２０ｄに沿うように、上面視略Ｕ字型に構成されている。ここで、第４仕切板１４と天板１３との間の高さ位置の４つの側面は、いずれも、互いに隣り合う２つの支柱１１ａ−１１ｄの間の部分が、対応する下部化粧板２３で覆われている。これらの下部化粧板２３のうち側面２０ｂ、２０ｃ、２０ｄに対応する位置に設けられているものについては、空気を通過させる利用側吸込口４５が形成されており、側面２０ａに対応する位置に設けられているものについては空気を通過させない構造となっている。利用側ファン４が駆動することで、ケーシング１０の３つの利用側吸込口４５を介して取り込まれた空気が、平面視Ｕ字形状の利用側熱交換器３を通過することで熱交換され、調和空気となって利用側ファン４を通過し、上述のように、各利用側吹出口４６から調和空気が周囲に吹き出される。なお、排気管１８０は、ケーシング１０の側面のうち利用側熱交換器３の配置箇所に対応する部分以外である側面２０ａに沿うように、支柱１１ａと支柱１１ｄとの間において、上下方向に延びている。
【００８７】
屋外空気調和装置１００ａのケーシング１０の天板１３には、図１４に示すように、ケーシング１０の側面２０ａ側において、排気管１８０の上端である熱源側吹出口４８ｘが位置している。
【００８８】
以上の屋外空気調和装置１００ａによれば、ケーシング１０の平面視における多角形の形状のうちの角部以外の部分である側面２０ａに沿うように排気管１８０を設け、熱源側熱交換器６を通過した排気を排出させている。そして、ケーシング１０のうち、この排気管１８０が設けられている側面以外の側面２０ｂ、２０ｃ、２０ｄに、利用側吹出口４６が形成され、この利用側吹出口４６に対応するように利用側熱交換器３が配置されている。このため、利用側熱交換器３を通過した調和空気の流路と、熱源側熱交換器６を通過した排気の流路と、が互い干渉しないように構成することができている。
【００８９】
なお、この変形例Ｂでは、熱源側熱交換器６を含む空気流路である排気管１８０がケーシング１０の側面２０ａに沿うように設けられている場合を例に挙げたが、上記実施形態のようにケーシング１０の支柱１１ａ〜１１ｄ等の角部に設けられた流路を、上記排気管１８０に加えて用いるようにしてもよい。
【００９０】
（５−３）変形例Ｃ
上記実施形態の屋外空気調和装置１００では、４つの支柱１１ａ〜１１ｄに対して天板１３、底板１２、第４仕切板１４、第３仕切板１５、第２仕切板１６および第１仕切板１７が固定されている構造を例に挙げて説明した。
【００９１】
これに対して、支柱１１ａ〜１１ｄの全てが天板１３、底板１２、第４仕切板１４、第３仕切板１５、第２仕切板１６および第１仕切板１７に固定されている必要はなく、例えば、上記実施形態における支柱１１ｄに対応する位置に設けられた支柱１１ｄを、他の支柱１１ａ〜１１ｃと比べて、固定箇所を少なくする等して着脱しやすい構造としてもよい。これにより、支柱１１ｄにまとめて配置されている部品等のメンテナンス性を高めることが可能になる。
【００９２】
（５−４）変形例Ｄ
上記実施形態の屋外空気調和装置１００では、ケーシング１０が有する複数の側面の全てに利用側吹出口４６が対応するように形成されている場合を例に挙げて説明した。
【００９３】
これに対して、屋外空気調和装置１００としては、例えば、吹出口が形成されていない側面を１つ又は２つ以上有していてもよい。この場合には、吹き出し空気が供給されない方向を確保することが可能になり、調和空気が不要な方向に対して調和空気が供給されることを抑制し、調和空気が求められる方向に対して調和空気をより十分に供給することが可能になる。
【００９４】
（５−５）変形例Ｅ
上記実施形態の屋外空気調和装置１００では、４つ熱交換面が設けられることで、全周方向に向いて存在する利用側熱交換器３および熱源側熱交換器６を例に挙げて説明した。
【００９５】
これに対して、利用側熱交換器３や熱源側熱交換器６が有する熱交換面としては、３つの周方向を向いたものであってもよいし、２つの周方向を向いたものであってもよいし、１つの周方向のみを向いたものであってもよい。
【００９６】
なお、利用側熱交換器３や熱源側熱交換器６が有する熱交換面の数と、熱源側吸込口４７の数や、利用側吸込口４５の数や、利用側吹出口４６の数は、必ずしも同じである必要はなく、例えば、利用側熱交換器３や熱源側熱交換器６が有する熱交換面の数が３つである場合に熱源側吸込口４７、利用側吸込口４５、利用側吹出口４６の数が４つであってもよい。
【００９７】
（５−６）変形例Ｆ
上記実施形態の屋外空気調和装置１００では、熱源側ファン７が有する熱源側ファンモータ７ａと、利用側ファン４が有する利用側ファンモータ４ａと、が別個独立に設けられている場合を例に挙げて説明した。
【００９８】
これに対して、熱源側ファン７と利用側ファン４とは、両者の回転軸上に配置された共通のファンモータを有していてもよい。
【００９９】
（５−７）変形例Ｇ
上記実施形態の屋外空気調和装置１００では、利用側ファン４に対して空気流れの上流側に利用側熱交換器３が設けられ、熱源側ファン７に対して空気流れの上流側に熱源側熱交換器６が設けられる場合を例に挙げて説明した。
【０１００】
これに対して、利用側熱交換器３は、利用側ファン４に対して空気流れの下流側に配置されてもよく、ケーシング１０内において、利用側熱交換器３は利用側ファン４の下に配置されてもよい。
【０１０１】
また、熱源側熱交換器６は、熱源側ファン７に対して空気流れの下流側に配置されてもよく、ケーシング１０内において、熱源側熱交換器６は熱源側ファン７の上もしくは下に配置されてもよい。
【０１０２】
（５−８）変形例Ｈ
上記実施形態の屋外空気調和装置１００では、平面視の形状が主として４つの辺と各辺で構成される４つの角とを有する正方形となっているケーシング１０を例に挙げて説明した。
【０１０３】
これに対して、ケーシング１０の平面視の形状の輪郭は、例えば、三角形、四角形、五角形、六角形、七角形、八角形等の多角形であってよく、平面視において多角形を構成する各辺の全てが直線的であるものに限られず、曲線部分を有していてもよい。
【０１０４】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１０５】
１      ：圧縮機
２      ：四路切換弁
３      ：利用側熱交換器
４      ：利用側ファン（第２ファン）
５      ：膨張手段
６      ：熱源側熱交換器
７      ：熱源側ファン（第１ファン）
８      ：アキュムレータ
９      ：冷媒回路
１０    ：ケーシング
１１ａ、１１ｂ、１１ｃ、１１ｄ  ：支柱
１２    ：底板
１３    ：天板
１４    ：第４仕切板
１５    ：第３仕切板
１６    ：第２仕切板
１７    ：第１仕切板
１８    ：キャスタ
１９ａ、１９ｂ    ：固定板
２０ａ、２０ｂ、２０ｃ、２０ｄ  ：側面
２１    ：上部化粧板
２２    ：中間化粧板
２３    ：下部化粧板
２４    ：風向調節部材
２８    ：電装部品
４５    ：利用側吸込口
４６    ：利用側吹出口
４７    ：熱源側吸込口
４８ａ〜４８ｄ、４８    ：熱源側吹出口
５１    ：熱源側ガス側連絡配管
５２    ：熱源側液側連絡配管
５３    ：利用側ガス側連絡配管
５４    ：利用側液側連絡配管
７１    ：通信線
８０    ：排気主管
８１〜８４    ：第１〜第４排気枝管
１００、１００a  ：屋外空気調和装置
１８０    ：排気管
【先行技術文献】
【特許文献】
【０１０６】
【特許文献１】特開平１０―２８１４９６号公報
【図１】
2020003175.tif 000003
【図２】
2020003175.tif 000004
【図３】
2020003175.tif 000005
【図４】
2020003175.tif 000006
【図５】
2020003175.tif 000007
【図６】
2020003175.tif 000008
【図７】
2020003175.tif 000009
【図８】
2020003175.tif 000010
【図９】
2020003175.tif 000011
【図１０】
2020003175.tif 000012
【図１１】
2020003175.tif 000013
【図１２】
2020003175.tif 000014
【図１３】
2020003175.tif 000015
【図１４】
2020003175.tif 000016